(57)【要約】  ＴＶ番組の視聴中にシーン特定ボタン（２０２）が押下げられると（Ｓ６０１）、時刻やチャンネル等からなるシーン特定情報が生成される（Ｓ６０２）。このシーン特定情報に対応するシーンの放送データが、関連情報記憶部４０４から検索される（Ｓ６０３）。検索された放送データは、テキストデータへフォーマット変換される（Ｓ６０４）。フォーマット変換されたテキストは、電子メールの本文に挿入される（Ｓ６０５）。電子メールの本文が必要に応じて補われた後（Ｓ６０６、Ｓ６０７）、完成した電子メールを相手のユーザに送信する（Ｓ６０８）。これにより、容易かつ正確にメール作成を行うことが可能になるため、即時性を満たしたコミュニケーションシステムが実現可能となる。【選択図】  図４
2007529055.tif 000002
【特許請求の範囲】
【請求項１】
少なくとも映像又は音声からなるマルチメディアデータと当該マルチメディアデータに関連するシーン関連情報とが多重化された多重化データを受信し、当該多重化データを利用して電子メールを作成するデータ受信端末であって、
前記多重化データを受信する受信部と、
前記受信された多重化データを、前記マルチメディアデータと前記シーン関連情報とに分離するデコード部と、
前記分離されたマルチメディアデータを出力する出力部と、
前記分離されたシーン関連情報を記憶する記憶部と、
ユーザからの要求に応じて、前記出力部から出力されているマルチメディアデータの箇所を特定するための、識別情報及び時刻から構成されるシーン特定情報を生成する入出力受付部と、
前記シーン特定情報に対応するシーン関連情報を前記記憶部から検索する検索部と、
前記シーン関連情報を電子メールで引用できる形式へ変換するフォーマット変換部と、
前記変換されたシーン関連情報を用いて電子メールデータの一部を作成するメール作成部とを備える、データ受信端末。
【請求項２】
前記メール作成部は、前記シーン関連情報から電子メールデータの本文部分を作成することを特徴とする、請求項１に記載のデータ受信端末。
【請求項３】
前記メール作成部は、前記シーン関連情報のタイトルに相当する部分を電子メールのサブジェクトに設定することを特徴とする、請求項１に記載のデータ受信端末。
【請求項４】
前記メール作成部は、前記シーン関連情報から作成した電子メールデータを他の情報とは異なる形式で電子メール本文に表示することを特徴とする、請求項１に記載のデータ受信端末。
【請求項５】
前記シーン関連情報から作成した電子メールデータは、内容変更できないように保護されていることを特徴とする、請求項１に記載のデータ受信端末。
【請求項６】
少なくとも映像又は音声からなるマルチメディアデータと当該マルチメディアデータに関連するシーン関連情報とが多重化された多重化データを受信し、当該多重化データを利用して電子メールを作成するメール作成方法であって、
前記多重化データを受信するステップと、
前記受信された多重化データを、前記マルチメディアデータと前記シーン関連情報とに分離するステップと、
前記分離されたマルチメディアデータを出力部から出力するステップと、
前記分離されたシーン関連情報を記憶部に記憶するステップと、
ユーザからの要求に応じて、前記出力部から出力されているマルチメディアデータの箇所を特定するための、識別情報及び時刻から構成されるシーン特定情報を生成するステップと、
前記シーン特定情報に対応するシーン関連情報を前記記憶部から検索するステップと、
前記検索されたシーン関連情報を電子メールで引用できる形式へ変換するステップと、
前記変換されたシーン関連情報を用いて電子メールデータの一部を作成するステップとを備える、メール作成方法。
【請求項７】
少なくとも映像又は音声からなるマルチメディアデータと当該マルチメディアデータに関連するシーン関連情報とが多重化された多重化データを受信し、当該多重化データを利用して電子メールを作成するメール作成方法を、データ受信端末に実行させるためのコンピュータ読み取り可能なプログラムであって、
前記多重化データを受信するステップと、
前記受信された多重化データを、前記マルチメディアデータと前記シーン関連情報とに分離するステップと、
前記分離されたマルチメディアデータを出力部から出力するステップと、
前記分離されたシーン関連情報を記憶部に記憶するステップと、
ユーザからの要求に応じて、前記出力部から出力されているマルチメディアデータの箇所を特定するための、識別情報及び時刻から構成されるシーン特定情報を生成するステップと、
前記シーン特定情報に対応するシーン関連情報を前記記憶部から検索するステップと、
前記検索されたシーン関連情報を電子メールで引用できる形式へ変換するステップと、
前記変換されたシーン関連情報を用いて電子メールデータの一部を作成するステップとを前記データ受信端末に実行させる、プログラム。
【請求項８】
少なくとも映像又は音声からなるマルチメディアデータと当該マルチメディアデータに関連する関連情報とが多重化された多重化データを受信し、当該多重化データを利用して電子メールを作成するメール作成方法を、データ受信端末に実行させるためのコンピュータ読み取り可能なプログラムを記録した媒体であって、
前記多重化データを受信するステップと、
前記受信された多重化データを、前記マルチメディアデータと前記シーン関連情報とに分離するステップと、
前記分離されたマルチメディアデータを出力部から出力するステップと、
前記分離されたシーン関連情報を記憶部に記憶するステップと、
ユーザからの要求に応じて、前記出力部から出力されているマルチメディアデータの箇所を特定するための、識別情報及び時刻から構成されるシーン特定情報を生成するステップと、
前記シーン特定情報に対応するシーン関連情報を前記記憶部から検索するステップと、
前記検索されたシーン関連情報を電子メールで引用できる形式へ変換するステップと、
前記変換されたシーン関連情報を用いて電子メールデータの一部を作成するステップとを前記データ受信端末に実行させるプログラムを記録した、媒体。
【請求項９】
少なくとも映像又は音声からなるマルチメディアデータと当該マルチメディアデータに関連するシーン関連情報とが多重化された多重化データを受信し、当該多重化データを利用して電子メールを作成するデータ受信端末に用いられる集積回路であって、
前記多重化データを受信する受信部と、マルチメディアデータを出力する出力部と、シーン関連情報を記憶する記憶部と、ユーザからの要求に応じて出力部から出力されているマルチメディアデータの箇所を特定するための識別情報及び時刻から構成されるシーン特定情報を生成する入出力受付部とを備えるデータ受信端末に組み込まれ、
前記受信された多重化データを、前記マルチメディアデータと前記シーン関連情報とに分離するデコード部、
前記シーン特定情報に対応するシーン関連情報を前記記憶部から検索する検索部、
前記シーン関連情報を電子メールで引用できる形式へ変換するフォーマット変換部、及び
前記変換されたシーン関連情報を用いて電子メールデータの一部を作成するメール作成部として機能する回路を集積している、集積回路。
【発明の詳細な説明】
【技術分野】
【０００１】
本発明は、データ受信端末及びメール作成方法に関し、より特定的には、放送や通信等によって受信する映像や音声等のマルチメディアデータにかかわる電子メールを、マルチメディアデータに関連付けられた情報を用いて作成するデータ受信端末、及びこのデータ受信端末におけるメール作成方法に関する。
【背景技術】
【０００２】
近年、ＴＶ番組放送は、アナログからデジタルへの転換が急速に進んできている。このデジタル放送によって、アナログ放送では困難であった各種サービスが実用化されてきている。その一例として、データ放送サービスが挙げられる。データ放送サービスでは、ユーザは、ＴＶ番組を視聴する傍ら、天気予報や視聴しているＴＶ番組のホームページＵＲＬ等といった情報を、放送によって容易に取得することができる。このデータ放送サービスで使用されるデータの記述形式としては、ＢＭＬ（Ｂｒｏａｄｃａｓｔ  Ｍａｒｋｕｐ  Ｌａｎｇｕａｇｅ）が一般に知られている。
【０００３】
他方では、携帯電話の高機能化が急速に進んできている。従来、携帯電話の主なサービスは音声通信であったが、現在ではホームページ閲覧や電子メールが必要不可欠となっている。特に、電子メールは、音声通信に代わり得る主サービスになりつつある。
【０００４】
上述した状況下において、近年では、携帯電話にデジタル放送受信機能を搭載することにより、デジタル放送受信機能とメール通信機能とを組み合わせた複合サービスが提案されている。この複合サービスとは、例えば、ユーザがＴＶ番組の視聴中にシーンを指定すれば、この指定されたシーンに関連する情報（シーン関連情報）を添付した電子メールが、指定した相手に送信されるというものである。ここで、シーンとは、ＴＶ番組の一部を示し、時刻及び番組を特定するチャンネル等から一意に定まる放送データを意味する。
【０００５】
このような複合サービスを実現する従来の携帯電話の構成例を、図１２に示す。図１２において、上記従来の携帯電話は、放送受信部１２０１と、デコード部１２０２と、映像／音声出力部１２０３と、関連情報記憶部１２０４と、関連情報検索部１２０５と、入出力受付部１２０６と、メール作成部１２０８と、メール通信部１２０９とで構成される。放送受信部１２０１は、ＴＶ局から放送されるＴＶ番組の多重化データを受信する。デコード部１２０２は、受信した多重化データを映像／音声データと放送データとに分離する。映像／音声出力部１２０３は、映像及び音声を出力する。関連情報記憶部１２０４は、放送データを記憶して管理する。入出力受付部１２０６は、ユーザによるシーンの特定を検出して、所定のシーン特定情報を生成する。関連情報検索部１２０５は、シーン特定情報に基づいて該当するシーン関連情報の検索を行う。メール作成部１２０８は、検索されたシーン関連情報が添付された電子メールを作成する。メール通信部１２０９は、作成した電子メールを送信する。
【発明の開示】
【発明が解決しようとする課題】
【０００６】
しかしながら、上記従来の技術では、シーン関連情報としてＴＶ番組のホームページのＵＲＬ等の情報を電子メールに自動添付することはできても、電子メールの本文によって相手に伝えたい内容は、その都度ユーザがキー操作で入力して作成する必要がある。その結果、シーンを特定してから電子メールを送信するまでに、多くの時間を費やしてしまうという問題が発生する。従って、シーンが時々刻々と変化するＴＶ番組では、電子メールの送信が完了した時点で電子メールの内容と異なるシーンに移っているといったことも考えられる。この問題は、マルチメディアデータが、ラジオ局から放送される音楽である場合も同様である。
【０００７】
それ故に、本発明の目的は、マルチメディアデータに関連する情報を電子メールで送信する場合、電子メール本文を作成する際のユーザ入力操作を支援して、電子メールの作成を容易かつ正確に行うことを可能とするデータ受信端末及びメール作成方法を提供することである。
【課題を解決するための手段】
【０００８】
本発明は、少なくとも映像又は音声からなるマルチメディアデータとマルチメディアデータに関連するシーン関連情報とが多重化された多重化データを受信し、この多重化データを利用して電子メールを作成するデータ受信端末に向けられている。そして、上記目的を達成させるために、本発明のデータ受信端末は、受信部、デコード部、出力部、記憶部、入出力受付部、検索部、フォーマット変換部、及びメール作成部を備えている。
【０００９】
受信部は、多重化データを受信する。デコード部は、受信された多重化データを、マルチメディアデータとシーン関連情報とに分離する。出力部は、分離されたマルチメディアデータを出力する。記憶部は、分離されたシーン関連情報を記憶する。入出力受付部は、ユーザからの要求に応じて、出力部から出力されているマルチメディアデータの箇所を特定するための、識別情報及び時刻から構成されるシーン特定情報を生成する。検索部は、シーン特定情報に対応するシーン関連情報を記憶部から検索する。フォーマット変換部は、シーン関連情報を電子メールで引用できる形式へ変換する。メール作成部は、変換されたシーン関連情報を用いて電子メールデータの一部を作成する。
【００１０】
ここで、メール作成部によって行われる電子メールの好ましい作成手法としては、シーン関連情報から電子メールデータの本文部分を作成することや、シーン関連情報のタイトルに相当する部分を電子メールのサブジェクトに設定することや、シーン関連情報から作成した電子メールデータを他の情報とは異なる形式で電子メール本文に表示することが挙げられる。なお、シーン関連情報から作成した電子メールデータは、内容変更できないように保護されていることが望ましい。
【００１１】
上述したデータ受信端末の各構成が行うそれぞれの処理は、一連の処理手順を与えるメール作成方法として捉えることができる。この方法は、一連の処理手順をコンピュータに実行させるためのプログラムの形式で提供される。このプログラムは、コンピュータ読み取り可能な記録媒体に記録された形態で、コンピュータに導入されてもよい。また、上述したデータ受信端末を構成する一部又は全部の機能ブロックは、集積回路であるＬＳＩとして実現されてもよい。
【発明の効果】
【００１２】
上記のように、本発明によれば、特定したシーンに関連付けられた情報から電子メールのテキストデータ（すなわち、シーン関連情報）を抽出する。これにより、電子メールの作成を短時間かつ容易に行うことが可能となる。特に、テキストデータの間を補う言葉を入力するだけで、メール本文を作成することができる。また、ユーザによる電子メールのサブジェクトの入力操作を省略できる。また、電子メール本文中のシーン関連情報とユーザが入力した部分とを視覚的に区別することができる。
【発明を実施するための最良の形態】
【００１３】
以下、本発明の実施の形態について、図面を参照しながら説明する。
まず、本発明のデータ受信端末が適用される、マルチメディアデジタル配信サービスと電子メールサービスとを組み合わせたコミュニケーションシステムの概略を説明する。図１は、映像、音声及び各種データを含むマルチメディアデータで構成されているＴＶ番組がデジタル放送によって放送局１０１からデータ受信端末１０２に配信される例を図示している。放送局１０１からは、マルチメディアデータと当該マルチメディアデータに関連する付随データ（この例ではデータ放送におけるデータ）とが多重された多重化データが、放送される。なお、本発明はマルチメディアデータと付随データとが同期入力される全てのシステムに適用可能である。よって、マルチメディアデータは、ＴＶ番組以外にも音声だけのラジオ番組でもよいし、マルチメディアデータの配信形態も、放送に限られず通信であってもよい。
【００１４】
図１に示すように、本発明のコミュニケーションシステムは、放送局１０１、データ受信端末１０２、基地局１０３、通信網１０４、基地局１０５、及び一般端末１０６によって構成される。放送局１０１とデータ受信端末１０２とが、放送に関する機能を備え、データ受信端末１０２と一般端末１０６とが、電子メールに関する機能を備える。基地局１０３、基地局１０５及び通信網１０４は、データ受信端末１０２と一般端末１０６との間でやり取りされる電子メールの送受信を中継する。
【００１５】
本発明の特徴であるデータ受信端末１０２は、放送データを受信できる放送機能と電子メールを送受信できる通信機能とを兼ね備えた端末であり、代表的には図２に例示するような携帯電話である。このデータ受信端末１０２において、ユーザがＴＶ番組の視聴中（画面２０１に表示中）に別のユーザに伝えたいような興味深いシーンに遭遇した場合、シーン特定ボタン２０２が押下げられる。この操作により、シーン特定ボタン２０２を押下げた時刻と、その時刻に視聴していたＴＶ番組を特定する情報と、ＴＶ番組に関する情報を取得することが可能になる。この取得処理については、後で詳細に述べる。
【００１６】
図３は、本発明のデータ受信端末１０２を実現するための典型的なハードウェア構成を例示した図である。図３に示すように、データ受信端末１０２は、アンテナを介して放送波を受信する受信部３０１、スピーカや画面２０１に接続される出力部３０２、デコードされた放送データを記憶する記憶部３０３、アンテナを介して電子メールの送受信等を行う通信部３０４、端末全体の制御を司るＣＰＵ３０５、プログラムが格納されるＲＯＭ３０６、プログラムの実行に利用されるＲＡＭ３０７、及びシーン特定ボタン２０２を有するボタン入力部３０８等で構成され、互いに接続されている。
【００１７】
ＲＯＭ３０６内には、システムを提供するためのソフトフェアプログラムが格納されている。ＣＰＵ３０５は、ＲＯＭ３０６内に格納されているプログラムを実行し、発生するデータの書き込み又は修正をＲＡＭ３０７に対して行う。また、このプログラムの実行に伴い、ＣＰＵ３０５は、放送局１０１から配信される放送波を受信部３０１で受信し、出力部３０２を通じてスピーカに音声を画面２０１に画像をそれぞれ出力する。また、ＣＰＵ３０５は、ボタン入力部３０８に接続されたシーン特定ボタン２０２を介して、ユーザのキー入力を受け付ける。また、ＣＰＵ３０５は、通信部３０４に接続されたアンテナを通じて電子メールの送受信を行う。
【００１８】
以上、本発明のデータ受信端末１０２をハードウェア構成で説明した。次に、このハードウェア構成の少なくとも一部を利用して、本発明のデータ受信端末１０２が行う特徴的なメール作成方法を、ソフトウェア構成の観点から説明する。
【００１９】
図４は、本発明の一実施形態に係るメール作成方法を用いたデータ受信端末１０２のソフトウェア構成を説明する図である。図３のＲＯＭ３０６に格納されているプログラムは、ＣＰＵ３０５に読み取られることによって、データ受信部４０１、デコード部４０２、映像／音声出力部４０３、関連情報記憶部４０４、関連情報検索部４０５、入出力受付部４０６、フォーマット変換部４０７、メール作成部４０８、及びメール通信部４０９としての機能を実現する。
【００２０】
データ受信部４０１は、放送局１０１から放送されるＴＶ番組の多重化データを受信する。デコード部４０２は、受信した多重化データを映像／音声データとＴＶ番組のシーンに関連する情報であるシーン関連情報を含む付随データとに分離する。映像／音声出力部４０３は、映像及び音声を出力する。関連情報記憶部４０４は、付随データを記憶して管理する。入出力受付部４０６は、ユーザによるシーンの特定を検出して、所定のシーン特定情報を生成する。関連情報検索部４０５は、シーン特定情報に基づいて該当するシーン関連情報の検索を行う。フォーマット変換部４０７は、検索されたシーン関連情報を電子メールで引用できる形式へ変換する。メール作成部４０８は、形式変換されたシーン関連情報が引用された電子メールを作成する。メール通信部４０９は、作成したメールを一般端末１０６へ送信する。
【００２１】
図５及び図６は、上記構成によるデータ受信端末１０２が行う本発明の一実施形態に係るメール作成方法の処理手順を説明するフローチャートである。図５は、放送受信機能に関する処理のフローチャートであり、図６は、電子メール送信機能に関する処理のフローチャートである。
【００２２】
図５を参照して、放送受信機能に関する処理を説明する。データ受信端末１０２は、放送局１０１から放送波を受信すると（ステップＳ５０１）、放送波のデコード処理を行う（ステップＳ５０２）。データ受信端末１０２は、デコードによって分離された映像／音声データを画面２０１やスピーカに出力し、デコードによって分離された放送データを関連情報記憶部４０４に蓄積する（ステップＳ５０３）。この関連情報記憶部４０４に蓄積される放送データは、ＢＭＬ等の番組記述言語で記述されたデータである。以上の処理は、放送波を受信している間継続して行われる（ステップＳ５０４）。
【００２３】
図６を参照して、電子メール送信機能に関する処理を説明する。ＴＶ番組の視聴中にユーザによってシーン特定ボタン２０２が押下げられると（ステップＳ６０１）、データ受信端末１０２は、時刻やチャンネル等からなるシーン特定情報を生成する（ステップＳ６０２）。例えば、データ受信端末１０２でＴＶ番組を視聴しているユーザが、図７に示すシーン７０１を別のユーザにメール送信しようとした場合、シーン特定ボタン２０２を押下げた時刻８０１及び視聴チャンネル８０２等がシーン特定情報となる（図８Ａ）。一方、ユーザが、図７に示すシーン７０２を別のユーザにメール送信しようとした場合には、シーン特定ボタンを押下した時刻８０４、視聴チャンネル８０５等がシーン特定情報となる（図８Ｂ）。なお、シーン特定情報は、放送データを一意に特定することが可能なデータのことであり、ＴＶ番組のコンテンツＩＤ等でも構わない。
【００２４】
ここで、図９Ａ及び図９Ｂを参照して、チャンネルについて補足しておく。日本では、ＢＳデジタル放送等で知られているように、デジタル放送の特徴の１つに多チャンネル化が挙げられる。従来のアナログ放送では、１つのチャンネルには１つの番組しか割り当てることができないが、デジタル放送では、１つのチャンネルに複数の番組を割り当てることが可能である。通常、１つのチャンネル内に含まれる複数の番組は、サービスチャンネルという識別子で区別される。
【００２５】
このため、図８Ａ及び図８Ｂに示すようにシーン特定情報のチャンネルが同一である場合には、チャンネル８０２及び８０５に加えて、サービスチャンネル８０３及び８０６によって対応する放送データが識別される。このサービスチャンネルは、全く異なる番組を区別するためだけに用いられるものではなく、例えばある１つの番組で複数のサービス９０２がされている場合、ユーザが必要なサービスを選択して利用することも可能である（図９Ａ）。
【００２６】
一方、地上波デジタル放送において、携帯電話等の移動体端末やラジオ向けのデジタル放送の場合、放送データを１３個のセグメントに分割して、分割したセグメントを組み合わせて利用する（図９Ｂ）。例えば、移動体端末向け、ラジオ向け、固定端末向けの３つの用途に、１３個のセグメントを振り分ける。受信側の移動体端末は、安定した受信や省電力を考慮して１３セグメントの放送データのうち、１セグメントの放送データ９０３を受信し、ドキュメンタリー「プロジェクトＸ」という番組の視聴のみのサービスを利用する。同様に、ラジオは、３セグメントの放送データ９０４でドキュメンタリーのナレーションに加えて、高音質のサウンドのサービスを利用し、固定端末は、ドキュメンタリーにおいて、通信網１０４を介して他の視聴者とチャットを行う視聴者参加型の討論会のようなサービスを利用する。
【００２７】
このように、地上波デジタル放送では、セグメントの組み合わせによって、ＢＳデジタル放送のサービス９０２のような異なるサービスの利用が可能になる。つまり、放送のデジタル化に伴い、１つのチャンネルに複数のサービスが含まれる場合は、本発明におけるシーン特定情報にも、サービスチャンネルのようなサービスを識別する方法を追加すればよい。
【００２８】
図６を再び参照して、シーン特定情報が生成されると、データ受信端末１０２は、このシーン特定情報に対応するシーンの放送データ（ＢＭＬデータ等）、すなわちシーン関連情報を関連情報記憶部４０４から検索する（ステップＳ６０３）。例えば、シーン特定情報の時刻８０１及びチャンネル８０２は、関連情報記憶部４０４に蓄積された放送データ７０３内の情報７０４の部分と対応付けられる。つまり、シーン特定ボタン２０２の押下により情報７０４を取得することが可能になる。同様に、シーン特定情報の時刻８０４及びチャンネル８０５は、放送データ７０３内の情報７０５の部分と対応付けられる。
【００２９】
次に、データ受信端末１０２は、検索した放送データをシーン関連情報へフォーマット変換する処理を行う（ステップＳ６０４）。このシーン関連情報とは、シーンに関連するテキストデータのことであり、例えば番組タイトル、出演者、シーンの説明、ユーザが知らない情報等である。すなわち、このフォーマット変換処理は、放送データ内の情報から電子メールの本文に引用可能なテキストを抜き出す処理に相当する。図７で具体的に説明すると、放送データ７０３内のタグ＜ｔｉｔｌｅ＞と＜／ｔｉｔｌｅ＞とで囲まれたＴＶ番組のタイトルや、タグ＜ｍａｉｌＴｅｘｔ＞と＜／ｍａｉｌＴｅｘｔ＞とで囲まれたＴＶ番組の出演者名やコーナー名等を意味する。そして、このフォーマット変換されたシーン関連情報、すなわち抜き出されたテキストが、電子メールの本文に挿入される（ステップＳ６０５）。
【００３０】
図１０は、シーン関連情報が電子メールの本文に挿入された画面表示例を示す図である。放送データ１００１が、シーン関連情報１００２〜１００５及び動画ファイル１００６を有している場合、放送データ１００１内のタグ＜ｔｉｔｌｅ＞と＜／ｔｉｔｌｅ＞とで囲まれた「マラソン」（シーン関連情報１００２）が、電子メール１００７のサブジェクト１００８として挿入される。また、タグ＜ｍａｉｌＴｅｘｔ＞と＜／ｍａｉｌＴｅｘｔ＞とで囲まれた「ジョン・スミス」（シーン関連情報１００３）、「ゴール」（シーン関連情報１００４）、及び「ラストスパート」（シーン関連情報１００５）は、電子メールの本文１０１０に挿入される。動画ファイル１００６は、添付ファイル１０１１として電子メールに付与される。
【００３１】
なお、フォーマット変換によってシーン関連情報として抽出されるテキストデータは、上述した例のようにタグ＜ｔｉｔｌｅ＞と＜／ｔｉｔｌｅ＞とで定義、又はタグ＜ｍａｉｌＴｅｘｔ＞と＜／ｍａｉｌＴｅｘｔ＞とで定義する以外にも、いかなる手法で行っても構わない。また、どのシーン関連情報をサブジェクトに使用するかも自由である。サブジェクトに用いるシーン関連情報が存在しない場合には、該当するシーン内の動画、音声又は静止画等のファイル名やコンテンツＩＤ等、放送データの識別子の情報をメールのサブジェクトとして利用すればよい。さらに、上述した例の場合には、放送データがＢＭＬであることを前提としたため、シーン関連情報をテキストデータとしたが、メール作成に利用できるデータであれば、バイナリデータ等であっても構わない。
【００３２】
シーン関連情報が電子メールの本文に挿入されると、データ受信端末１０２は、電子メールの本文を編集する必要があるか否かを判断する（ステップＳ６０６）。この編集とは、図１０のように単に列挙されているだけのシーン関連情報に接続詞や動詞等の言葉を補って、ユーザが伝えたい内容を明確化させるように文章化することである。例えば、図１１の例では、電子メールの本文１０１０に、「が、」、「前に」及び「したとこ、感動した！」を補い、本文１１０２のように編集する。なお、ユーザが編集を行った後に表示される電子メールの本文１１０２には、シーン関連情報とユーザが追加した部分とを区別するために、下線を付したり文字色を変えたりすることが好ましい。
【００３３】
なお、放送局１０１側によっては、シーン関連情報を換えられると都合が悪い場合もあり得る。例えば、シーン関連情報が、人名に関わる部分や著作権を表示する部分等の場合である。このようなシーン関連情報については、ユーザによって編集ができないように保護をかけておくことが望ましい。この保護は、放送局１０１側が特定のタグを定義して行ってもよいし、データ受信端末１０２側で判断して制限してもよい。
【００３４】
そして、データ受信端末１０２は、フォーマット変換及び必要な編集を行って（ステップＳ６０７）、編集が完了した電子メールを相手のユーザに送信する（ステップＳ６０８）。
【００３５】
以上のように、本発明の一実施形態に係るデータ受信端末及びメール作成方法によれば、特定したシーンに関連付けられた情報から電子メールに利用するテキストデータ（すなわち、シーン関連情報）を抽出する。これにより、電子メールの作成を容易かつ正確に行うことが可能となる。特に、テキストデータの間を補う言葉を入力するだけで、電子メール本文を作成することができる。また、ユーザによる電子メールのサブジェクトの入力操作を省略できる。また、電子メール本文中のシーン関連情報とユーザが入力した部分とを視覚的に区別することができる。
【００３６】
なお、本発明のデータ受信端末におけるデコード部４０２、関連情報検索部４０５、フォーマット変換部４０７、及びメール作成部４０８の各機能ブロックは、典型的には集積回路であるＬＳＩ（集積度の違いにより、ＩＣ、システムＬＳＩ、スーパーＬＳＩ、又はウルトラＬＳＩ等と称される）として実現される（図４を参照）。これらは、個別に１チップ化されてもよいし、一部又は全部を含むように１チップ化されてもよい。
また、集積回路化の手法は、ＬＳＩに限るものではなく、専用回路又は汎用プロセッサで実現してもよい。また、ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
さらには、半導体技術の進歩又は派生する別の技術により、ＬＳＩに置き換わる集積回路化の技術が登場すれば、当然その技術を用いて機能ブロックの集積化を行ってもよい。バイオ技術の適応等が可能性としてあり得る。
【００３７】
また、本発明のメール作成方法は、記憶装置（ＲＯＭ、ＲＡＭ、ハードディスク等）に格納された上述した処理手順を実行可能な所定のプログラムデータが、ＣＰＵによって解釈実行されることで実現されてもよい。この場合、プログラムデータは、ＣＤ−ＲＯＭやフレキシブルディスク等の記録媒体を介して記憶装置内に導入されてもよいし、記録媒体上から直接実行されてもよい。
【産業上の利用可能性】
【００３８】
本発明のデータ受信端末及びメール作成方法は、マルチメディアデータに関連する情報を電子メールで送信する場合等に利用可能であり、特に電子メールの作成を短時間かつ容易に行いたい場合等に有用である。
【図面の簡単な説明】
【００３９】
【図１】本発明のデータ受信端末が適用されるコミュニケーションシステムの概略を説明する図
【図２】本発明の一実施形態に係るデータ受信端末の一例を示す外観図
【図３】データ受信端末を実現するための典型的なハードウェア構成を例示した図
【図４】本発明の一実施形態に係るメール作成方法を用いたデータ受信端末のソフトウェア構成を説明する図
【図５】データ受信端末の放送受信機能に関する処理のフローチャート
【図６】データ受信端末の電子メール送信機能に関する処理のフローチャート
【図７】マルチメディアデータに関連付けられた放送データの具体例を示す図
【図８Ａ】シーン特定情報の具体例を示す図
【図８Ｂ】シーン特定情報の他の具体例を示す図
【図９Ａ】１つのチャンネルで複数のサービスが提供される一例を示す図
【図９Ｂ】１つのチャンネルで複数のサービスが提供される他の一例を示す図
【図１０】シーン関連情報から電子メールに挿入された表示画面例を示す図
【図１１】図１０の電子メールの本文が編集された後の表示画面例を示す図
【図１２】従来の携帯電話のソフトウェア構成を説明する図
【図１】
2007529055.tif 000003
【図２】
2007529055.tif 000004
【図３】
2007529055.tif 000005
【図４】
2007529055.tif 000006
【図５】
2007529055.tif 000007
【図６】
2007529055.tif 000008
【図７】
2007529055.tif 000009
【図８Ａ】
2007529055.tif 000010
【図８Ｂ】
2007529055.tif 000011
【図９Ａ】
2007529055.tif 000012
【図９Ｂ】
2007529055.tif 000013
【図１０】
2007529055.tif 000014
【図１１】
2007529055.tif 000015
【図１２】
2007529055.tif 000016
【国際調査報告】
2007529055.tif 000017
2007529055.tif 000018